(57)【特許請求の範囲】
【請求項１】
第１筐体面に表示画面が形成された長方形の表示筐体と、
第２筐体面に２以上の操作キーが形成された操作筐体と、
上記表示筐体を縦長状態及び横長状態となるように上記表示画面に水平な面内で回転可能に保持するとともに、上記表示筐体の第１筐体面を上記操作筐体の第２筐体面に対向するように折り畳み可能に保持する保持手段と、
音声を出力するための音声出力手段と、
上記表示筐体が折り畳まれた状態で横長状態から縦長状態へ遷移したことに基づいて、上記音声出力手段からの音声の出力を停止させる音声制御手段とを備え、
上記表示筐体が折り畳まれた場合に、縦長状態では、上記操作筐体及び上記表示筐体の長手方向の向きが一致し、横長状態では、上記操作筐体及び上記表示筐体の長手方向の向きが直交することを特徴とする携帯電話機。
【請求項２】
上記表示画面にバックライトを点灯させるバックライト点灯手段と、
上記音声出力手段から音声を出力しているときに上記表示筐体が横長状態で折り畳まれた場合に、音声は出力している状態で上記バックライトを消灯状態とするバックライト制御手段と、
上記操作キーの操作に対して実行される処理の割り当てを記憶しているキー割り当て記憶手段と、
上記操作キーの操作に対して、上記キー割り当て記憶手段に記憶されている処理の実行を制限するキー操作制限手段とを備え、
上記表示筐体が横長状態で折り畳まれた場合に、上記操作筐体における上記２以上の操作キーの一部が、上記表示筐体の第１筐体面に対向し、
上記キー操作制限手段は、上記音声出力手段から音声を出力しているときに上記表示筐体が横長状態で折り畳まれた場合に、上記第１筐体面に対向しない操作キーに、上記音声出力手段から出力する音量を調整するための処理を割り当てることを特徴とする請求項１に記載の携帯電話機。
【請求項３】
第１筐体面に表示画面が形成された長方形の表示筐体と、
第２筐体面に２以上の操作キーが形成された操作筐体と、
上記表示筐体を縦長状態及び横長状態となるように上記表示画面に水平な面内で回転可能に保持するとともに、上記表示筐体の第１筐体面を上記操作筐体の第２筐体面に対向するように折り畳み可能に保持する保持手段と、
テレビ放送波を受信するテレビ放送受信手段と、
受信したテレビ放送波に基づいてテレビ画像を上記表示画面に表示させるテレビ画像表示手段と、
上記表示筐体を横長状態としてテレビ画像を表示しているときに、上記表示筐体を横長状態のまま折り畳む操作と、上記第１筐体面に対向しない操作キーの操作とが組み合わせて行われた場合に、そのとき受信していたテレビ放送波に基づく信号を無線送信する無線送信手段とを備え、
上記表示筐体が横長状態で折り畳まれた場合に、上記操作筐体における上記２以上の操作キーの一部が、上記表示筐体の第１筐体面に対向することを特徴とする携帯電話機。
【請求項４】
上記操作キーの操作に対して実行される処理の割り当てを記憶しているキー割り当て記憶手段と、
上記操作キーの操作に対して、上記キー割り当て記憶手段に記憶されている処理の実行を制限するキー操作制限手段とを備え、
上記キー操作制限手段は、上記表示筐体が横長状態で折り畳まれた場合に、上記第１筐体面に対向しない操作キーの操作に対して、上記キー割り当て記憶手段に記憶されている処理の実行を制限することを特徴とする請求項３に記載の携帯電話機。
【発明の詳細な説明】
【技術分野】
【０００１】
本発明は、携帯電話機に係り、さらに詳しくは、表示画面が形成された表示筐体が回転可能に保持された携帯電話機の改良に関する。
【背景技術】
【０００２】
表示画面が形成された表示筐体と、多数の操作キーが配置された操作筐体とを備え、表示筐体が表示画面に水平な面内で操作筐体により回転可能に保持された携帯電話機が知られている（例えば、特許文献１，２）。
【０００３】
この種の携帯電話機では、例えば、表示画面が長方形形状に形成されており、操作筐体に対して表示筐体を回転させることにより、表示画面の長手方向を上下方向として表示を行う縦長状態と、表示画面の短手方向を上下方向として表示を行う横長状態とに切り替えて使用することができるようになっている。
【０００４】
表示筐体は、操作筐体に対向するように折り畳み可能に保持されている。したがって、この種の携帯電話機では、表示筐体が縦長状態で操作筐体に対向するように折り畳まれた場合には、すべての操作キーに表示筐体が対向して、いずれの操作キーも操作することができなくなる。これに対して、表示筐体が横長状態で折り畳まれた場合には、いくつかの操作キーのみが表示筐体に対向し、他の操作キーは操作可能な状態となる。
【特許文献１】特開２００３−３１９０４３号公報
【特許文献２】特開２００４−２１５１８０号公報
【発明の開示】
【発明が解決しようとする課題】
【０００５】
上記のように、表示筐体が横長状態で折り畳まれた場合には、いくつかの操作キーのみが表示筐体に対向し、他の操作キーは露出した状態となるので、その状態のまま携帯電話機を持ち歩いた場合などには、露出している操作キーが誤操作されてしまうおそれがある。
【０００６】
一方、テレビ放送を視聴するためのアプリケーションや音楽を再生するためのアプリケーションのように、音声の出力を伴うアプリケーションを起動させているときには、表示筐体が横長状態で折り畳まれているときに露出している操作キーを用いて、そのアプリケーションに対応する操作を行うことができれば便利である。
【０００７】
本発明は、上記の事情に鑑みてなされたものであり、表示筐体が横長状態で折り畳まれた場合に操作キーの誤操作を防止することができる携帯電話機を提供することを目的とする。また、本発明は、表示筐体が横長状態で折り畳まれた場合に利便性を向上させることができる携帯電話機を提供することを目的とする。
【課題を解決するための手段】
【０００８】
第１の本発明による携帯電話機は、第１筐体面に表示画面が形成された長方形の表示筐体と、第２筐体面に２以上の操作キーが形成された操作筐体と、上記表示筐体を縦長状態及び横長状態となるように上記表示画面に水平な面内で回転可能に保持するとともに、上記表示筐体の第１筐体面を上記操作筐体の第２筐体面に対向するように折り畳み可能に保持する保持手段と、音声を出力するための音声出力手段と、上記表示筐体が折り畳まれた状態で横長状態から縦長状態へ遷移したことに基づいて、上記音声出力手段からの音声の出力を停止させる音声制御手段とを備え、上記表示筐体が折り畳まれた場合に、縦長状態では、上記操作筐体及び上記表示筐体の長手方向の向きが一致し、横長状態では、上記操作筐体及び上記表示筐体の長手方向の向きが直交するように構成される。
【０００９】
このような構成により、表示筐体が横長状態で折り畳まれて音声が出力されているときに、表示筐体を折り畳まれた状態のまま横長状態から縦長状態まで回転させるだけで、音声の出力を停止させることができるので、利便性を向上させることができる。
【００１０】
第２の本発明による携帯電話機は、上記表示画面にバックライトを点灯させるバックライト点灯手段と、上記音声出力手段から音声を出力しているときに上記表示筐体が横長状態で折り畳まれた場合に、音声は出力している状態で上記バックライトを消灯状態とするバックライト制御手段と、上記操作キーの操作に対して実行される処理の割り当てを記憶しているキー割り当て記憶手段と、上記操作キーの操作に対して、上記キー割り当て記憶手段に記憶されている処理の実行を制限するキー操作制限手段とを備え、上記表示筐体が横長状態で折り畳まれた場合に、上記操作筐体における上記２以上の操作キーの一部が、上記表示筐体の第１筐体面に対向し、上記キー操作制限手段は、上記音声出力手段から音声を出力しているときに上記表示筐体が横長状態で折り畳まれた場合に、上記第１筐体面に対向しない操作キーに、上記音声出力手段から出力する音量を調整するための処理を割り当てるように構成される。
【００１１】
このような構成により、音声を出力しているときに表示筐体が横長状態で折り畳まれた場合には、表示筐体の第１筐体面に対向しない操作キーを用いて音量を調整することができるので、利便性を向上させることができる。このとき、表示画面のバックライトは消灯状態とされるので、消費電力を低減させることができる。
【００１２】
第３の本発明による携帯電話機は、第１筐体面に表示画面が形成された長方形の表示筐体と、第２筐体面に２以上の操作キーが形成された操作筐体と、上記表示筐体を縦長状態及び横長状態となるように上記表示画面に水平な面内で回転可能に保持するとともに、上記表示筐体の第１筐体面を上記操作筐体の第２筐体面に対向するように折り畳み可能に保持する保持手段と、テレビ放送波を受信するテレビ放送受信手段と、受信したテレビ放送波に基づいてテレビ画像を上記表示画面に表示させるテレビ画像表示手段と、上記表示筐体を横長状態としてテレビ画像を表示しているときに、上記表示筐体を横長状態のまま折り畳む操作と、上記第１筐体面に対向しない操作キーの操作とが組み合わせて行われた場合に、そのとき受信していたテレビ放送波に基づく信号を無線送信する無線送信手段とを備え、上記表示筐体が横長状態で折り畳まれた場合に、上記操作筐体における上記２以上の操作キーの一部が、上記表示筐体の第１筐体面に対向するように構成される。
【００１５】
このような構成により、表示筐体を横長状態としてテレビ放送を視聴しているときに、表示筐体を横長状態のまま折り畳む操作と、第１筐体面に対向しない操作キーの操作とを組み合わせて行うだけで、そのとき受信していたテレビ放送波に基づく信号を無線送信することができる。したがって、例えば、受信していたテレビ放送波のチャンネル番号を無線送信するような構成とすれば、そのチャンネル番号を家庭用テレビで受信して、当該家庭用テレビで引き続きテレビ放送を視聴することができるので、利便性をさらに向上させることができる。
【００１６】
第４の本発明による携帯電話機は、上記操作キーの操作に対して実行される処理の割り当てを記憶しているキー割り当て記憶手段と、上記操作キーの操作に対して、上記キー割り当て記憶手段に記憶されている処理の実行を制限するキー操作制限手段とを備え、上記キー操作制限手段は、上記表示筐体が横長状態で折り畳まれた場合に、上記第１筐体面に対向しない操作キーの操作に対して、上記キー割り当て記憶手段に記憶されている処理の実行を制限するように構成される。
【００１７】
このような構成により、表示筐体が横長状態で折り畳まれた場合に、表示筐体の第１筐体面に対向しない操作キーの操作に対する処理の実行を制限することができるので、露出した操作キーに対する誤操作を防止することができる。
【発明の効果】
【００１８】
本発明によれば、表示筐体が横長状態で折り畳まれた場合に、表示筐体の第１筐体面に対向しない操作キーの操作に対する処理の実行を制限することができるので、露出した操作キーに対する誤操作を防止することができる。このとき、第１筐体面に対向しない操作キーに、音声出力手段から出力する音量を調整するための処理を割り当てれば、音声を出力しているときに表示筐体が横長状態で折り畳まれた場合には、表示筐体の第１筐体面に対向しない操作キーを用いて音量を調整することができるので、利便性を向上させることができる。
【００１９】
また、表示筐体を横長状態としてテレビ放送を視聴しているときに、表示筐体を横長状態のまま折り畳む操作と、第１筐体面に対向しない操作キーの操作とが組み合わせて行われた場合に、そのとき受信していたテレビ放送波に基づく信号を無線送信するような構成とすれば、受信していたテレビ放送波のチャンネル番号を無線送信して家庭用テレビで受信することにより、当該家庭用テレビで引き続きテレビ放送を視聴することができ、利便性をさらに向上させることができる。
【００２０】
また、表示筐体が横長状態で折り畳まれているときに、第１筐体面に対向しない操作キーの操作と、表示筐体を折り畳まれた状態から開く操作とが組み合わせて行われた場合に、その操作キーに対応する画像を表示画面に表示させるような構成としても、利便性をさらに向上させることができる。
【発明を実施するための最良の形態】
【００２１】
実施の形態１．
図１は、本発明の実施の形態１による携帯電話機１の一例を示した斜視図であり、筐体を閉じた状態を示している。図２は、図１の携帯電話機１の筐体を展開した状態を示した斜視図である。この携帯電話機１は、いわゆる折り畳み式の携帯電話機であり、それぞれ長方形形状に形成された表示筐体２及び操作筐体５がヒンジ部３を介して連結され、表示筐体２及び操作筐体５の筐体面を対向させた状態で折り畳むことができるようになっている。
【００２２】
表示筐体２には、折り畳んだ状態で操作筐体５に対向する内面にメイン表示部２ａ及び受話用レシーバ８が配置されている。メイン表示部２ａは、長方形形状に形成されており、その長手方向が表示筐体２の長手方向と一致するように配置されている。受話用レシーバ８は、表示筐体２におけるヒンジ部３と反対側の端部に配置されている。
【００２３】
操作筐体５には、折り畳んだ状態で表示筐体２に対向する内面に多数の操作キー４及び送話用マイクロホン７が配置されている。多数の操作キー４には、他の通信端末に対して呼び出しを行うためのキーや、各種設定操作を行うためのキーが含まれる。より具体的には、操作筐体５の内面におけるヒンジ部３側には、メニューキーなどの設定操作を行うためのキーが配置されており、ヒンジ部３と反対側には、テンキーなどの呼び出し時に操作されるキーが配置されている。送話用マイクロホン７は、操作筐体５におけるヒンジ部３と反対側の端部に配置されている。
【００２４】
このような折り畳み式携帯電話機１は、コンパクトに折り畳んだ状態で携帯することができ、筐体を展開させれば、メイン表示部２ａの表示を見ながら、操作キー４を押下操作することができる。また、この携帯電話機１は、図２に示すようにメイン表示部２ａを縦長状態として表示筐体２の内面に耳を当てることにより、送話用マイクロホン７に口を近づけるとともに、受話用レシーバ８に耳を近づけて、良好に通話を行うことができるようになっている。
【００２５】
すなわち、より品質のよい音声を送受信するためには、送話用マイクロホン７に口を近づけるとともに、受話用レシーバ８に耳を近づけるのが好ましく、そのためには、送話用マイクロホン７と受話用レシーバ８の距離をある程度確保する必要がある。本実施の形態の携帯電話機１では、送話用マイクロホン７を操作筐体５におけるヒンジ部３と反対側の端部に配置し、受話用レシーバ８を表示筐体２におけるヒンジ部３と反対側の端部に配置することにより、縦長状態としたときの送話用マイクロホン７と受話用レシーバ８の距離を確保することができるようになっている。
【００２６】
ヒンジ部３は、操作筐体５に対して回動可能に連結される連結部３ａと、表示筐体２の外面に対向して表示筐体２を保持する保持部３ｂとが一体的に形成された構成を有している。連結部３ａは、保持部３ｂの一端部において互いに一定間隔を隔てて突出するように形成された２つの円筒体からなる。操作筐体５の内面における長手方向の一端部には、短手方向に延びるように円筒体６が形成されており、この円筒体６が２つの連結部３ａの間に同一軸線上に配置され、互いに回転可能に取り付けられることにより、ヒンジ部３が操作筐体５に対して回動可能に連結されている。
【００２７】
保持部３ｂは、矩形の板状に形成され、メイン表示部２ａを縦長状態としたときに、表示筐体２の外面におけるヒンジ部３側の半分程度に対向する。保持部３ｂは、表示筐体２をメイン表示部２ａに水平な面内で回転可能に保持しており、表示筐体２は、操作筐体５に対する傾斜角度を保った状態で回転できるようになっている。保持部３ｂの表示筐体２と反対側の外面には、主に筐体を閉じた状態で表示を行うためのサブ表示部１１が配置されている。
【００２８】
図３は、図２の携帯電話機１の表示筐体２を回転させた状態を示した斜視図であり、正面から見て図２の状態から時計回りに約４５°回転させた状態を示している。図４は、図２の携帯電話機１の表示筐体２を回転させた状態を示した斜視図であり、正面から見て図２の状態から時計回りに９０°回転させた状態を示している。ユーザは、操作筐体５を把持した状態で、表示筐体２をメイン表示部２ａに水平な面内において９０°の角度範囲内で回転させることにより、図２に示した縦長状態と図４に示した横長状態との間で表示筐体２を回転させることができる。
【００２９】
この携帯電話機１では、テレビ放送を視聴することができるようになっており、図２に示す状態から表示筐体２を回転させ、図３の状態を経て、図４に示すようにメイン表示部２ａを横長状態とすることにより、テレビ画像のアスペクト比に合致した横長状態のメイン表示部２ａにテレビ画像を良好に表示させることができる。メイン表示部２ａは、長辺と短辺の比が１６：９となる長方形形状に形成されており、この比は、一般的なテレビ放送に用いられるテレビ画像のアスペクト比と一致している。
【００３０】
図２の状態から表示筐体２を時計回りに回転させる場合、図３に示した状態となるまでは、ヒンジ部３の保持部３ｂ内に備えられた付勢手段により、表示筐体２に対して反時計回りに付勢力が作用するようになっている。したがって、図２の状態では、表示筐体２に対して反時計回りに作用する付勢力によって、外力が作用しない限り表示筐体２が図２の状態のまま維持されるようになっている。
【００３１】
一方、図３の状態を超えて表示筐体２をさらに時計回りに回転させると、表示筐体２に作用する付勢力が時計回りに切り替わり、図４に示した状態で表示筐体２が係止される。これにより、外力が作用しない限り表示筐体２が図４の状態のまま維持されるようになっている。
【００３２】
本実施の形態では、表示筐体２は一定位置に固定された回転軸を中心に回転するのではなく、表示筐体２の回転に伴って移動する回転軸を中心に回転するようになっている。これにより、図２に示すように長手方向の一端部が操作筐体５に近接した縦長状態の表示筐体２を９０°回転させても、図４に示すように表示筐体２の短手方向の一端部が操作筐体５に近接し、コンパクトに横長状態とされたメイン表示部２ａにテレビ画面を表示させてテレビ放送を視聴することができるようになっている。
【００３３】
また、操作筐体５を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切り替えることができるようになっている。
【００３４】
図５〜図７は、図２〜図４の状態における携帯電話機１の背面図であり、それぞれ保持部３ｂ内の構造を透視した状態で示している。また、図８〜図１０は、図２〜図４の状態におけるヒンジ部３の正面図である。図５及び図８は、図２に示す縦長状態に対応し、図６及び図９は、表示筐体２を約４５°回転させた図３に示す状態に対応し、図７及び図１０は、図４に示す横長状態に対応している。
【００３５】
保持部３ｂ内には、矩形形状の保持板１６が配置されており、この保持板１６に表示筐体２が回転可能に保持されている。保持板１６には、横方向に円弧状に延びる円弧孔１２と、縦方向に直線状に延びる直線孔１４とが形成されている。円弧孔１２の中央部の頂点は、直線孔１４の一端部に近接しており、この頂点における法線方向に直線孔１４が延びている。
【００３６】
円弧孔１２及び直線孔１４には、それぞれ表示筐体２の背面側に形成された摺動軸１３及び回転軸１５が回転可能に係合している。摺動軸１３及び回転軸１５は、表示筐体２の背面に固定された軸保持部材１８に一体的に形成されており、それぞれ表示筐体２の中心に対してずれた位置に互いに一定間隔を隔てて配置されている。この軸保持部材１８は、保持部３ｂの前面に形成された開口３ｄを介して、保持部３ｂ内の保持板１６に係合している。
【００３７】
軸保持部材１８は、付勢手段としてのばねの一例である捩りコイルばね２０を介して、保持板１６に固定されている。捩りコイルばね２０は、その一端部が軸保持部材１８の摺動軸１３に結合されるとともに、他端部が保持板１６に形成された取付軸１９に結合されている。取付軸１９は、円弧孔１２の頂点に対する法線上に回転可能に配置されている。表示筐体２には、ヒンジ部３側から延びるフレキシブル基板２１の端部が回転軸１５の近傍において取り付けられており、このフレキシブル基板２１を介して、表示筐体２と操作筐体５とが電気的に接続されている。
【００３８】
図５及び図８に示す縦長状態では、回転軸１５が直線孔１４の下端に当接し、摺動軸１３が円弧孔１２の一端に当接している。この状態では、捩りコイルばね２０により摺動軸１３が円弧孔１２の一端側に付勢されており、外力が作用しない限り表示筐体２がこの状態のまま維持されるようになっている。
【００３９】
この状態から表示筐体２をヒンジ部３に対して回転させると、回転軸１５が直線孔１４に沿って上方へ移動するとともに、摺動軸１３が円弧孔１２に沿って他端側へ移動する。このとき、捩りコイルばね２０も取付軸１９を中心に回転し、その一端部と他端部とが互いに近接するように縮められる。そして、図６及び図９に示すように表示筐体２が約４５°回転された状態では、回転軸１５が直線孔１４の上端に当接し、摺動軸１３が円弧孔１２の頂点に到達する。
【００４０】
この状態では、捩りコイルばね２０の一端部と他端部とが最も近接した状態となり、さらに表示筐体２が回転されると、摺動軸１３及び取付軸１９の左右の位置が逆転し、捩りコイルばね２０の一端部と他端部とが再び離れていく。したがって、表示筐体２は、図６及び図９に示す回転位置を超えて回転されると、その後は捩りコイルばね２０の付勢力によってさらに回転され、図７及び図１０に示すような横長状態となる。
【００４１】
表示筐体２が横長状態のときには、回転軸１５が直線孔１４の下端に当接し、摺動軸１３が円弧孔１２の他端に当接している。この状態では、捩りコイルばね２０により摺動軸１３が円弧孔１２の他端側に付勢されており、外力が作用しない限り表示筐体２がこの状態のまま維持されるようになっている。
【００４２】
図１１は、表示筐体２を横長状態で折り畳んだ場合の携帯電話機１の平面図である。図１１に示すように、表示筐体２を横長状態で折り畳むと、操作筐体５の内面に配置された多数の操作キー４のうちの一部が表示筐体２の内面に対向し、それ以外の操作キー４が露出した状態となる。本実施の形態では、表示筐体２を横長状態で折り畳むと、多数の操作キー４のうちヒンジ部３と反対側に配置されたテンキーの一部を含む操作キー４、より具体的には、「７」、「８」、「９」、「＊」、「０」、「♯」の６つの操作キー４が露出した状態となる。
【００４３】
図１２は、この携帯電話機１の電気的構成の一例を示したブロック図である。この携帯電話機１は、上述したメイン表示部２ａ、サブ表示部１１、受話用レシーバ８、送話用マイクロホン７及び操作キー４に加えて、スピーカ９、外部入出力端子１０、セルラー通信部２３、テレビ放送受信部２４、回転位置検知部２５、開閉検知部２６及びキー割り当て記憶部２７を備えており、それらの動作が、プロセッサからなる制御部３０により制御されるようになっている。
【００４４】
メイン表示部２ａ及びサブ表示部１１には、それぞれバックライト装置２ｂ，１１ｂが備えられている。これらのバックライト装置２ｂ，１１ｂが、メイン表示部２ａ及びサブ表示部１１の各表示画面を裏側から照明することにより、各表示画面にバックライトを点灯させることができるようになっている。
【００４５】
スピーカ９は、受話用レシーバ８から出力される場合よりも音声を増幅して出力することにより、表示筐体２から耳を離した状態で音声を聞くことができるようにするためのものである。また、外部出力端子１０にイヤホンマイクなどの外部入出力装置２２を接続すれば、その外部入出力装置２２を介して音声を入出力することができる。受話用レシーバ８、スピーカ９及び外部入出力端子１０は、それぞれ音声出力手段を構成している。
【００４６】
ここで、受話用レシーバ８は、表示筐体２の内面にユーザが耳を当てた状態で使用されるのに対して、スピーカ９及び外部入出力端子１０は、表示筐体２の内面からユーザが耳を離した状態で使用される。したがって、メイン表示部２ａに対するテレビ画像などの表示は、スピーカ９や外部入出力端子１０を使用しているときには見ることができるが、受話用レシーバ８を使用しているときには見ることができない。
【００４７】
スピーカ９を用いて相手方電話機との間で通話を行う場合には、相手方電話機からの音声が増幅されてスピーカ９から出力されるとともに、送話用マイクロホン７からの入力信号が増幅されることにより、携帯電話機１を把持することなく、いわゆるハンズフリーで通話を行うことができる。このとき、送話用マイクロホン７からの入力信号は、ハウリングを防止するためのキャンセル回路に入力されるようになっている。受話用レシーバ８による通常の通話とハンズフリーによる通話との切り替えは、操作キー４の操作により行うことができる。
【００４８】
外部入出力端子１０には、外部入出力装置２２の接続端子を着脱することができるようになっており、接続端子の着脱に基づいて、受話用レシーバ８による通常の通話と外部入出力装置２２による通話とが切り替えられるようになっている。すなわち、外部入出力装置２２の接続端子を外部入出力端子１０に取り付けることにより、通常の通話から外部入出力装置２２による通話に切り替えることができ、外部入出力装置２２の接続端子を外部入出力端子１０から取り外すことにより、受話用レシーバ８による通常の通話に戻すことができる。
【００４９】
セルラー通信部２３は、通信用アンテナ２３ａを介して基地局との間で電波の送受信を行うことにより、通話音の送受信を行っている。相手方電話機との間で通話状態が確立された状態では、ユーザの通話音に基づく音声信号がセルラー通信部２３から送信され、相手方電話機からの通話音に基づく音声信号がセルラー通信部２３で受信されることにより、通話音がリアルタイムで送受信される。
【００５０】
テレビ放送受信部２４は、テレビ放送受信用アンテナ２４ａを介して、テレビ局から発信されているテレビ放送波を受信するためのものである。テレビ局から発信されているテレビ放送波には、アナログ放送に対応したアナログ放送波と、デジタル放送に対応したデジタル放送波とが含まれている。このテレビ放送受信部２４が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報、受信電波の周波数帯に応じたチャンネル番号などが含まれている。
【００５１】
テレビ放送受信部２４で受信したテレビ放送波に基づいて、メイン表示部２ａにテレビ画像を表示するとともに、そのテレビ画像に対応するテレビ音声をスピーカ９又は外部入出力端子１０から出力することにより、テレビ放送を視聴することができる。また、テレビ放送波に含まれる文字情報を抽出してメイン表示部２ａに表示させることにより、テレビ画像とともに字幕などの文字情報を表示させることができる。また、テレビ放送波に基づくテレビ画像やテレビ音声をメモリ（図示せず）に記憶させれば、テレビ放送を録画することができる。
【００５２】
回転位置検知部２５及び開閉検知部２６は、例えば機械的又は電気的なスイッチにより構成されている。回転位置検知部２５は、ユーザによる表示筐体２の回転操作を検出することにより、表示筐体２の回転位置を検知する。一方、開閉検知部２６は、ユーザによる表示筐体２の開閉操作を検出することにより、表示筐体２が折り畳まれた状態であるか否かを検出する。
【００５３】
キー割り当て記憶部２７は、操作キー４の操作に対して実行される処理の割り当てを記憶している。キー割り当て記憶部２７には、表示筐体２が開かれているときの各操作キー４に対する処理の割り当てを記憶している開状態キー割り当て記憶部２７ａと、表示筐体２が横長状態で折り畳まれているときの各操作キー４に対する処理の割り当てを記憶している閉状態キー割り当て記憶部２７ｂとが備えられている。
【００５４】
図１３は、表示筐体２を回転及び開閉させたときの動作について説明するためのブロック図である。本実施の形態において、制御部３０は、プログラム処理を実行することにより、画面表示制御部３１、音声制御部３２及びキー操作処理部３３として機能する。
【００５５】
画面表示制御部３１は、メイン表示部２ａの表示画面に対する表示を制御している。画面表示制御部３１には、バックライト制御部３４が備えられており、このバックライト制御部３４がメイン表示部２ａのバックライト装置２ｂを制御することにより、メイン表示部２ａの表示画面に対してバックライトを点灯又は消灯することができるようになっている。また、音声制御部３２は、スピーカ９及び外部入出力端子１０から出力される音声を制御している。
【００５６】
画面表示制御部３１は、テレビ放送受信部２４で受信したテレビ放送波に基づいて、テレビ画像をメイン表示部２ａに表示させる。また、音声制御部３２は、テレビ放送受信部２４で受信したテレビ放送波に基づいて、テレビ画像に対応するテレビ音声をスピーカ９又は外部入出力端子１０から出力させる。すなわち、テレビ放送の視聴時には、画面表示制御部３１が、テレビ画像をメイン表示部２ａに表示させるためのテレビ画像表示手段となり、音声制御部３２が、テレビ音声をスピーカ９又は外部入出力端子１０から出力させるためのテレビ音声出力手段となる。
【００５７】
キー操作処理部３３は、キー割り当て記憶部２７に記憶されている割り当てに基づいて、操作キー４の操作に対する処理を行う。本実施の形態において、キー操作処理部３３は、表示筐体２が開かれた状態のときには、開状態キー割り当て記憶部２７ａに記憶されている割り当てに基づいて処理を行い、表示筐体２が横長状態で折り畳まれているときには、閉状態キー割り当て記憶部２７ｂに記憶されている割り当てに基づいて処理を行う。このように、キー操作処理部３３は、表示筐体２が横長状態で折り畳まれているときには、開状態キー割り当て記憶部２７ａに記憶されている処理の実行を制限して、閉状態キー割り当て記憶部２７ｂに記憶されている処理を行うキー操作制限手段である。
【００５８】
表示筐体２が開かれた状態のときには、開状態キー割り当て記憶部２７ａに記憶されている割り当てに基づいて、操作筐体５の内面に配置されているすべての操作キー４に対して、それぞれ異なる処理が割り当てられる。一方、表示筐体２が横長状態で折り畳まれているときには、閉状態キー割り当て記憶部２７ｂに記憶されている割り当てに基づいて、操作筐体５の内面に配置されている多数の操作キー４のうち、図１１に示すように露出している６つの操作キー４に対して、それぞれ異なる処理が割り当てられる。
【００５９】
画面表示制御部３１、音声制御部３２及びキー操作処理部３３は、回転位置検知部２５及び開閉検知部２６からの検知信号に基づいて処理を行う。画面表示制御部３１は、操作キー４の操作によりキー操作処理部３３から入力される信号に基づいて、メイン表示部２ａに表示しているテレビ画像のチャンネルを変更する。また、音声制御部３２は、操作キー４の操作によりキー操作処理部３３から入力される信号に基づいて、スピーカ９又は外部入出力端子１０から出力する音量を制御する。
【００６０】
図１４は、テレビ放送の視聴中に表示筐体２が折り畳まれたときに行われるキー割り当て処理の一例を示したフローチャートである。テレビ放送の視聴中に表示筐体２が折り畳まれると、開閉検知部２６からの検知信号に基づいて、画面表示制御部３１のバックライト制御部３４が、メイン表示部２ａのバックライト装置２ｂを消灯状態とし（ステップＳ１０１）、メイン表示部２ａに対するテレビ画像の表示が停止される。
【００６１】
このとき、回転位置検知部２５からの検知信号に基づいて、表示筐体２が縦長状態と検知された場合（ステップＳ１０２でＮｏ）、すなわち表示筐体２が縦長状態で折り畳まれている場合には、音声制御部３２がテレビ音声の出力を停止させる（ステップＳ１０７）。これにより、テレビ画像及びテレビ音声の出力がいずれも停止した状態となり、テレビ放送を視聴するためのアプリケーションが停止状態となる。
【００６２】
一方、回転位置検知部２５からの検知信号に基づいて、表示筐体２が横長状態と検知された場合（ステップＳ１０２でＹｅｓ）、すなわち表示筐体２が横長状態で折り畳まれている場合には、音声制御部３２がテレビ音声の出力を継続した状態のまま（ステップＳ１０３）、キー操作処理部３３が、各操作キー４に対する処理の割り当てを開状態キー割り当て記憶部２７ａから閉状態キー割り当て記憶部２７ｂに切り替える（ステップＳ１０４）。
【００６３】
本実施の形態の閉状態キー割り当て記憶部２７ｂにおいて、「７」の操作キー４には、音量を段階的に減少させるための処理が割り当てられ、「９」の操作キー４には、音量を段階的に増加させるための処理が割り当てられている。「＊」の操作キー４には、テレビ放送のチャンネル番号を段階的に増加させるための処理が割り当てられ、「♯」の操作キー４には、テレビ放送のチャンネル番号を段階的に減少させるための処理が割り当てられている。また、「８」及び「０」の操作キー４には、予め設定されている任意のチャンネル番号を選択する処理が割り当てられている。
【００６４】
したがって、表示筐体２を横長状態としてテレビ放送を視聴していたユーザは、表示筐体２を横長状態のまま折り畳んだ後も継続してテレビ音声を聞くことができ、露出した６つの操作キー４を操作することにより、テレビ音声の音量を調整したり、チャンネルを選択したりすることができる。
【００６５】
その後、表示筐体２が折り畳まれた状態のまま横長状態から縦長状態へ回転され（ステップＳ１０５でＹｅｓ）、回転検知部２５及び開閉検知部２６から音声制御部３２に検知信号が入力されると、音声制御部３２はテレビ音声の出力を停止させる（ステップＳ１０６）。これにより、テレビ画像及びテレビ音声の出力がいずれも停止した状態となり、テレビ放送を視聴するためのアプリケーションが停止状態となる。
【００６６】
本実施の形態では、表示筐体２が横長状態で折り畳まれた場合に、表示筐体２の内面に対向しない操作キー４の操作に対して、開状態キー割り当て記憶部２７ａに代えて、閉状態キー割り当て記憶部２７ｂにより割り当てられている処理を実行することができる。これにより、開状態キー割り当て記憶部２７ａにより割り当てられている処理の実行を制限することができるので、露出した操作キー４に対する誤操作を防止することができる。
【００６７】
例えば、本実施の形態のように、露出した操作キー４に対して、テレビ音声の音量を調整したり、チャンネルを選択したりするための処理を割り当てれば、これらの操作キー４の誤操作によって、開状態キー割り当て記憶部２７ａに割り当てられている処理が実行され、他の通信端末に対して予期せず呼び出しを行ってしまうといった事態を防止できる。
【００６８】
また、テレビ放送を視聴しているときに表示筐体２が横長状態で折り畳まれた場合には、「７」及び「９」の操作キー４を用いてテレビ音声の音量を調整したり、他の露出している操作キー４を用いてチャンネルを選択したりすることができるので、利便性を向上させることができる。このとき、メイン表示部２ａのバックライトは消灯状態とされるので、消費電力を低減させることができる。
【００６９】
また、表示筐体２が横長状態で折り畳まれてテレビ音声が出力されているときに、表示筐体２を折り畳まれた状態のまま横長状態から縦長状態まで回転させるだけで、テレビ音声の出力を停止させ、テレビ放送を視聴するためのアプリケーションを停止状態とすることができるので、利便性をさらに向上させることができる。
【００７０】
実施の形態２．
実施の形態２の携帯電話機１は、他の通信端末との間で、いわゆる近距離通信を行うことができるようになっている。実施の形態１では、表示筐体２が横長状態で折り畳まれたときに、露出している操作キー４に対して、テレビ音声の音量を調整したり、チャンネルを選択したりするための処理が割り当てられるような構成について説明したが、実施の形態２では、露出している操作キー４に対して、近距離通信を行うための処理が割り当てられるようになっている点が異なる。
【００７１】
図１５は、本発明の実施の形態２による携帯電話機１の電気的構成の一例を示したブロック図である。本実施の形態の携帯電話機１は、実施の形態１の携帯電話機１とほぼ同様の電気的構成を有しているが、近距離通信を行うための近距離通信部２８を備えている点、及びキー割り当て処理の内容が異なっている。したがって、実施の形態１と同様の構成については、図に同一符号を付して詳細な説明を省略することとする。
【００７２】
近距離通信部２８は、赤外線通信などにより、セルラー通信部２３において送受信する無線信号よりも到達距離の短い無線信号を送信する無線送信手段である。この近距離通信部２８が近距離通信により送信する無線信号の到達範囲は、例えば数ｍ〜数十ｍ以下である。
【００７３】
図１６は、表示筐体２を回転及び開閉させたときの動作について説明するためのブロック図である。本実施の形態において、制御部３０は、プログラム処理を実行することにより、画面表示制御部３１、音声制御部３２、キー操作処理部３３及びチャンネル番号抽出部３５として機能する。
【００７４】
チャンネル番号抽出部３５は、テレビ放送受信部２４で受信したテレビ放送波に基づいて、そのテレビ放送のチャンネル番号を抽出する。キー操作処理部３３は、回転位置検知部２５、開閉検知部２６及び操作キー４からの入力信号に基づいて、チャンネル番号抽出部３５で抽出されたチャンネル番号を近距離通信部２８から送信する。
【００７５】
図１７は、テレビ放送の視聴中に表示筐体２が折り畳まれたときに行われるキー割り当て処理の一例を示したフローチャートである。テレビ放送の視聴中に表示筐体２が折り畳まれると、開閉検知部２６からの検知信号に基づいて、画面表示制御部３１のバックライト制御部３４が、メイン表示部２ａのバックライト装置２ｂを消灯状態とし（ステップＳ２０１）、メイン表示部２ａに対するテレビ画像の表示が停止される。また、音声制御部３２が、テレビ音声の出力を停止させる（ステップＳ２０２）。これにより、テレビ画像及びテレビ音声の出力がいずれも停止した状態となり、テレビ放送を視聴するためのアプリケーションが停止状態となる。
【００７６】
このとき、回転位置検知部２５からの検知信号に基づいて、表示筐体２が横長状態と検知された場合（ステップＳ２０３でＹｅｓ）、すなわち表示筐体２が横長状態で折り畳まれている場合には、キー操作処理部３３が、各操作キー４に対する処理の割り当てを開状態キー割り当て記憶部２７ａから閉状態キー割り当て記憶部２７ｂに切り替える（ステップＳ２０４）。
【００７７】
本実施の形態の閉状態キー割り当て記憶部２７ｂには、表示筐体２を横長状態で折り畳んだときに露出する操作キー４のいずれかに、近距離通信でチャンネル番号を送信する処理が割り当てられている。すなわち、表示筐体２が横長状態で折り畳まれた後、一定時間内にその操作キー４が操作されると（ステップＳ２０６でＮｏ、ステップＳ２０５でＹｅｓ）、それまで視聴していたテレビ放送のチャンネル番号がチャンネル番号抽出部３５により抽出され、そのチャンネル番号が近距離通信部２８から送信される（ステップＳ２０７）。
【００７８】
本実施の形態では、表示筐体２を横長状態としてテレビ放送を視聴しているときに、表示筐体２を横長状態のまま折り畳む操作と、表示筐体２に対向しない操作キー４の操作とを組み合わせて行うだけで、そのとき受信していたテレビ放送のチャンネル番号を近距離通信部２８から無線送信することができる。これにより、近距離通信部２８から無線送信したチャンネル番号を家庭用テレビで受信し、その家庭用テレビで引き続きテレビ放送を視聴することができるので、利便性をさらに向上させることができる。
【００７９】
なお、近距離通信部２８から送信される無線信号には、チャンネル番号の他に、家庭用テレビの電源を投入するための信号が含まれていてもよい。この場合、表示筐体２を横長状態のまま折り畳む操作と、表示筐体２に対向しない操作キー４の操作とを組み合わせて行うだけで、自動的に家庭用テレビの電源を投入し、そのとき受信していたテレビ放送のチャンネル番号を家庭用テレビで受信して、その家庭用テレビで引き続きテレビ放送を視聴することができる。
【００８０】
実施の形態３．
実施の形態１では、表示筐体２が横長状態で折り畳まれたときに、露出している操作キー４に対して、テレビ音声の音量を調整したり、チャンネルを選択したりするための処理が割り当てられるような構成について説明したが、実施の形態３では、露出している操作キー４に対して、所定のアプリケーションを起動させるための処理が割り当てられている点が異なる。
【００８１】
図１８は、本発明の実施の形態３による携帯電話機１の電気的構成の一例を示したブロック図である。本実施の形態の携帯電話機１は、実施の形態１の携帯電話機１とほぼ同様の電気的構成を有しているが、表示筐体２が横長状態で折り畳まれたときに露出している操作キー４の操作に基づいて起動させることができるアプリケーションがアプリケーション記憶部２９に記憶されている点、及びキー割り当て処理の内容が異なっている。したがって、実施の形態１と同様の構成については、図に同一符号を付して詳細な説明を省略することとする。
【００８２】
アプリケーション記憶部２９には、テレビ放送を視聴するためのアプリケーションの他に、例えば、この携帯電話機１に備えられたカメラ（図示せず）により静止画を撮影するためのアプリケーション、当該カメラにより動画を撮影するためのアプリケーション、録画したテレビ放送を視聴するためのアプリケーション、いわゆるフルブラウザでメイン表示部２ａに対する表示を行うためのアプリケーション、カメラで顔画像を撮影しながら通話を行うことによりテレビ電話で通話を行うためのアプリケーションなどが記憶されている。カメラで静止画又は動画を撮影する際には、被写体の画像がメイン表示部２ａに表示される。また、テレビ電話で通話を行っているときには、相手方の顔画像がメイン表示部２ａに表示される。
【００８３】
これらのアプリケーション記憶部２９に記憶されているアプリケーションは、本実施の形態の携帯電話機１において、表示筐体２を横長状態として実行すべきアプリケーションである。すなわち、これらのアプリケーションは、表示筐体２が縦長状態のときよりも横長状態のときの方が、メイン表示部２ａに対して好適に画像を表示させることができ、ユーザにとって画面表示が見やすいようなアプリケーションである。
【００８４】
図１９は、表示筐体２を回転及び開閉させたときの動作について説明するためのブロック図である。本実施の形態において、制御部３０は、プログラム処理を実行することにより、画面表示制御部３１、音声制御部３２、キー操作処理部３３及びアプリケーション起動部３６として機能する。
【００８５】
アプリケーション起動部３６は、キー操作処理部３３に対する回転位置検知部２５、開閉検知部２６及び操作キー４からの入力信号に基づいて、アプリケーション記憶部２９に記憶されているアプリケーションを起動させる。そして、アプリケーション起動部３６が起動したアプリケーションに基づいて、画面表示制御部３１がメイン表示部２ａに対する表示を制御し、音声制御部３２がスピーカ９又は外部入出力端子１０から出力される音声を制御する。
【００８６】
図２０は、テレビ放送の視聴中に表示筐体２が折り畳まれたときに行われるキー割り当て処理の一例を示したフローチャートである。テレビ放送の視聴中に表示筐体２が折り畳まれると、開閉検知部２６からの検知信号に基づいて、画面表示制御部３１のバックライト制御部３４が、メイン表示部２ａのバックライト装置２ｂを消灯状態とし（ステップＳ３０１）、メイン表示部２ａに対するテレビ画像の表示が停止される。また、音声制御部３２が、テレビ音声の出力を停止させる（ステップＳ３０２）。これにより、テレビ画像及びテレビ音声の出力がいずれも停止した状態となり、テレビ放送を視聴するためのアプリケーションが停止状態となる。
【００８７】
このとき、回転位置検知部２５からの検知信号に基づいて、表示筐体２が横長状態と検知された場合（ステップＳ３０３でＹｅｓ）、すなわち表示筐体２が横長状態で折り畳まれている場合には、キー操作処理部３３が、各操作キー４に対する処理の割り当てを開状態キー割り当て記憶部２７ａから閉状態キー割り当て記憶部２７ｂに切り替える（ステップＳ３０４）。
【００８８】
本実施の形態の閉状態キー割り当て記憶部２７ｂには、表示筐体２を折り畳んだ状態で露出する各操作キー４に、アプリケーション記憶部２９に記憶されているそれぞれ異なるアプリケーションを起動させる処理が割り当てられている。すなわち、表示筐体２が横長状態で折り畳まれているときに、横長状態のまま開かれた場合には（ステップＳ３０５でＹｅｓ）、そのとき折り畳んだ状態で露出している操作キー４のいずれかが操作されていれば（ステップＳ３０６でＹｅｓ）、アプリケーション起動部３６が、その操作キー４に対応するアプリケーションをアプリケーション記憶部２９から読み出して起動させる（ステップＳ３０７）。
【００８９】
本実施の形態では、表示筐体２が横長状態で折り畳まれているときに、表示筐体２に対向しない操作キー４の操作と、表示筐体２を折り畳まれた状態から開く操作とを組み合わせて行うだけで、その操作キー４に対応するアプリケーションを起動させることができるので、利便性をさらに向上させることができる。特に、表示筐体２を横長状態として実行すべきアプリケーションを起動させることにより、アプリケーションの起動後に表示筐体２を回転させる必要がなく、利便性をより向上させることができる。
【００９０】
実施の形態１〜３では、表示筐体２は一定位置に固定された回転軸を中心に回転するのではなく、表示筐体２の回転に伴って上下動する回転軸を中心に回転するような構成について説明したが、このような構成に限らず、本発明は、メイン表示部２ａに水平な面内で表示筐体２が縦長状態と横長状態との間で回転可能な構成であれば、表示筐体２が固定された回転軸を中心に回転するような携帯電話機にも適用可能である。
【００９１】
また、実施の形態１〜３では、テレビ放送の視聴中に表示筐体２が横長状態で折り畳まれた場合に、表示筐体２に対向しない操作キー４の操作に対して実行される処理の割り当てが変更されるような構成について説明したが、このような構成に限らず、例えば、音楽を再生するためのアプリケーションやラジオを聴くためのアプリケーションのように、音声の出力を伴う他のアプリケーションが起動されているときに表示筐体２が横長状態で折り畳まれた場合に、表示筐体２に対向しない操作キー４の操作に対して実行される処理の割り当てが変更されるような構成であってもよい。
【図面の簡単な説明】
【００９２】
【図１】本発明の実施の形態１による携帯電話機の一例を示した斜視図であり、筐体を閉じた状態を示している。
【図２】図１の携帯電話機の筐体を展開した状態を示した斜視図である。
【図３】図２の携帯電話機の表示筐体を回転させた状態を示した斜視図であり、正面から見て図２の状態から時計回りに約４５°回転させた状態を示している。
【図４】図２の携帯電話機の表示筐体を回転させた状態を示した斜視図であり、正面から見て図２の状態から時計回りに９０°回転させた状態を示している。
【図５】図２の状態における携帯電話機の背面図であり、保持部内の構造を透視した状態で示している。
【図６】図３の状態における携帯電話機の背面図であり、保持部内の構造を透視した状態で示している。
【図７】図４の状態における携帯電話機の背面図であり、保持部内の構造を透視した状態で示している。
【図８】図２の状態におけるヒンジ部の正面図である。
【図９】図３の状態におけるヒンジ部の正面図である。
【図１０】図４の状態におけるヒンジ部の正面図である。
【図１１】表示筐体を横長状態で折り畳んだ場合の携帯電話機の平面図である。
【図１２】この携帯電話機の電気的構成の一例を示したブロック図である。
【図１３】表示筐体を回転及び開閉させたときの動作について説明するためのブロック図である。
【図１４】テレビ放送の視聴中に表示筐体が折り畳まれたときに行われるキー割り当て処理の一例を示したフローチャートである。
【図１５】本発明の実施の形態２による携帯電話機の電気的構成の一例を示したブロック図である。
【図１６】表示筐体を回転及び開閉させたときの動作について説明するためのブロック図である。
【図１７】テレビ放送の視聴中に表示筐体が折り畳まれたときに行われるキー割り当て処理の一例を示したフローチャートである。
【図１８】本発明の実施の形態３による携帯電話機の電気的構成の一例を示したブロック図である。
【図１９】表示筐体を回転及び開閉させたときの動作について説明するためのブロック図である。
【図２０】テレビ放送の視聴中に表示筐体が折り畳まれたときに行われるキー割り当て処理の一例を示したフローチャートである。
【符号の説明】
【００９３】
１  携帯電話機
２  表示筐体
２ａ  メイン表示部
２ｂ  バックライト装置
３  ヒンジ部
４  操作キー
５  操作筐体
７  送話用マイクロホン
８  受話用レシーバ
９  スピーカ
１０  外部入出力端子
２２  外部入出力装置
２３  セルラー通信部
２３ａ  通信用アンテナ
２４  テレビ放送受信部
２４ａ  テレビ放送受信用アンテナ
２５  回転位置検知部
２６  開閉検知部
２７  キー割り当て記憶部
２７ａ  開状態キー割り当て記憶部
２７ｂ  閉状態キー割り当て記憶部
２８  近距離通信部
２９  アプリケーション記憶部
３０  制御部
３１  画面表示制御部
３２  音声制御部
３３  キー操作処理部
３４  バックライト制御部
３５  チャンネル番号抽出部
３６  アプリケーション起動部
【図１】
0004667227.tif 000002
【図２】
0004667227.tif 000003
【図３】
0004667227.tif 000004
【図４】
0004667227.tif 000005
【図５】
0004667227.tif 000006
【図６】
0004667227.tif 000007
【図７】
0004667227.tif 000008
【図８】
0004667227.tif 000009
【図９】
0004667227.tif 000010
【図１０】
0004667227.tif 000011
【図１１】
0004667227.tif 000012
【図１２】
0004667227.tif 000013
【図１３】
0004667227.tif 000014
【図１４】
0004667227.tif 000015
【図１５】
0004667227.tif 000016
【図１６】
0004667227.tif 000017
【図１７】
0004667227.tif 000018
【図１８】
0004667227.tif 000019
【図１９】
0004667227.tif 000020
【図２０】
0004667227.tif 000021